(57)【要約】【課題】足場支柱のくさび受けに対してより強固かつ簡便な係着が可能な仮設足場用筋交いを提供する。【解決手段】２本の斜材１１，１１と、水平材１２と、足場支柱１の上側くさび受け２に対して取り外し可能に係着される上側連結部２０と、斜材１１の下端部１１ｂに取り付けられて足場支柱１の下側くさび受け３に対して取り外し可能に係着される下側連結部４０とを備え、上側連結部２０は、一側の上部に水平材１２の端部１２ａが固着され他側に上側くさび受け２に差し込み可能な差込部２２を有する本体部材２１と、本体部材２１の一側の下部に形成された回動軸部２５と、斜材１１の上端部１１ａに一体に形成されかつ回動軸部２５に軸着され差込部２２の上側くさび受け２への差し込み時に上側くさび受け２を差込部２２とともに狭持して固定するとともに、回動軸部２５を軸中心として回動して固定解除する回動固定部材３０とを備える。【選択図】図２
2015098740.tif 000002
【特許請求の範囲】
【請求項１】
足場支柱の間に傾斜させ交差させて配設される２本の斜材と、前記足場支柱の間に架設される水平材と、前記斜材の上端部及び前記水平材に取り付けられて前記足場支柱の上側くさび受けに対して取り外し可能に係着される上側連結部と、前記斜材の下端部に取り付けられて前記足場支柱の下側くさび受けに対して取り外し可能に係着される下側連結部とを備える仮設足場用筋交いにおいて、
前記上側連結部は、一側の上部に前記水平材の端部が固着され他側に前記上側くさび受けに差し込み可能なように下方へ延設された差込部を有する本体部材と、前記本体部材の一側の下部に形成された回動軸部と、前記斜材の上端部に一体に形成されかつ前記回動軸部に軸着され前記差込部の前記上側くさび受けへの差し込み時に前記上側くさび受けを前記差込部とともに狭持して固定するとともに、前記回動軸部を軸中心として回動して固定解除する回動固定部材とを備えた
ことを特徴とする仮設足場用筋交い。
【請求項２】
前記回動固定部材の先端側を上方側へ回動させて固定解除する請求項１に記載の仮設足場用筋交い。
【請求項３】
前記本体部材が一対の板状部材からなり、該一対の板状部材の各差込部が互いに内側へ屈曲されて溶接されている請求項１又は２に記載の仮設足場用筋交い。
【発明の詳細な説明】
【技術分野】
【０００１】
本発明は、仮設足場用筋交いに関する。
【背景技術】
【０００２】
一般に、建築物等の工事等に際しては、建築物の外周に仮設足場が設置される。この仮設足場は、複数本の支柱が所定間隔で配置され、各支柱間には足場板が架設されて複数階層の足場が形成される。このような仮設足場の架設作業にあっては、上方への足場の継ぎ足し作業の安全対策として、足場板を架設させる前に、斜材、水平材、または垂直材等の足場材を手すりとして先行して配置される。
【０００３】
足場材を配置する場合、例えば、仮設足場用筋交いが足場支柱のくさび受け（ホルダー）に対して取り外し可能に係着される。仮設足場用筋交いは、足場支柱の間に傾斜させ交差させて配設される２本の斜材と、足場支柱の間に架設される水平材と、斜材の上端部及び前記水平材に取り付けられて足場支柱の上側くさび受けに対して取り外し可能に係着される上側連結部と、斜材の下端部に取り付けられて足場支柱の下側くさび受けに対して取り外し可能に係着される下側連結部とを備える（例えば、特許文献１参照。）。
【０００４】
しかるに、この種の仮設足場用筋交いにあっては、設置に際しての作業性や設置後の安全性の向上のために、足場支柱のくさび受けに対してより強固かつ簡便な係着が可能な構造が求められている。
【先行技術文献】
【特許文献】
【０００５】
【特許文献１】特開２０１２−０３６６３４号公報
【発明の概要】
【発明が解決しようとする課題】
【０００６】
本発明は前記の点に鑑みなされたものであり、足場支柱のくさび受けに対してより強固かつ簡便な係着が可能な仮設足場用筋交いを提供するものである。
【課題を解決するための手段】
【０００７】
すなわち、請求項１の発明は、足場支柱の間に傾斜させ交差させて配設される２本の斜材と、前記足場支柱の間に架設される水平材と、前記斜材の上端部及び前記水平材に取り付けられて前記足場支柱の上側くさび受けに対して取り外し可能に係着される上側連結部と、前記斜材の下端部に取り付けられて前記足場支柱の下側くさび受けに対して取り外し可能に係着される下側連結部とを備える仮設足場用筋交いにおいて、前記上側連結部は、一側の上部に前記水平材の端部が固着され他側に前記上側くさび受けに差し込み可能なように下方へ延設された差込部を有する本体部材と、前記本体部材の一側の下部に形成された回動軸部と、前記斜材の上端部に一体に形成されかつ前記回動軸部に軸着され前記差込部の前記上側くさび受けへの差し込み時に前記上側くさび受けを前記差込部とともに狭持して固定するとともに、前記回動軸部を軸中心として回動して固定解除する回動固定部材とを備えたことを特徴とする仮設足場用筋交いに係る。
【０００８】
請求項２の発明は、前記回動固定部材の先端側を上方側へ回動させて固定解除する請求項１に記載の仮設足場用筋交いに係る。
【０００９】
請求項３の発明は、前記本体部材が一対の板状部材からなり、該一対の板状部材の各差込部が互いに内側へ屈曲されて溶接されている請求項１又は２に記載の仮設足場用筋交いに係る。
【発明の効果】
【００１０】
請求項１の発明に係る仮設足場用筋交いは、足場支柱の間に傾斜させ交差させて配設される２本の斜材と、前記足場支柱の間に架設される水平材と、前記斜材の上端部及び前記水平材に取り付けられて前記足場支柱の上側くさび受けに対して取り外し可能に係着される上側連結部と、前記斜材の下端部に取り付けられて前記足場支柱の下側くさび受けに対して取り外し可能に係着される下側連結部とを備える仮設足場用筋交いにおいて、前記上側連結部は、一側の上部に前記水平材の端部が固着され他側に前記上側くさび受けに差し込み可能なように下方へ延設された差込部を有する本体部材と、前記本体部材の一側の下部に形成された回動軸部と、前記斜材の上端部に一体に形成されかつ前記回動軸部に軸着され前記差込部の前記上側くさび受けへの差し込み時に前記上側くさび受けを前記差込部とともに狭持して固定するとともに、前記回動軸部を軸中心として回動して固定解除する回動固定部材とを備えたため、足場支柱のくさび受けに対して極めて簡便な作業で強固に係着させることが可能となる。
【００１１】
請求項２の発明に係る仮設足場用筋交いは、請求項１において、前記回動固定部材の先端側を上方側へ回動させて固定解除するため、回動固定部材が不意に固定解除されることがなく、しかも強固に固定状態を保持することが可能となる。
【００１２】
請求項３の発明に係る仮設足場用筋交いは、請求項１又は２において、前記本体部材が一対の板状部材からなり、該一対の板状部材の各差込部が互いに内側へ屈曲されて溶接されているため、各板状部材の拡開を防止することができるとともに、本体部材を安価に形成することが可能となる。
【図面の簡単な説明】
【００１３】
【図１】本発明の一実施例に係る仮設足場用筋交いの正面図である。
【図２】上側連結部材の固定時の概略断面図である。
【図３】上側連結部材の固定解除時の概略断面図である。
【図４】本体部材の上面図である。
【発明を実施するための形態】
【００１４】
図１に示す本発明の一実施例に係る仮設足場用筋交い１０は、足場支柱１，１の間に配設されるものであって、２本の斜材１１，１１と、水平材１２と、上側連結部２０と、下側連結部４０とを備える。足場支柱１は、建築物の外周に所定間隔で複数本配置され、複数の上側くさび受け２と、複数の下側くさび受け３とを有する。実施例において、各くさび受け２，３は、足場支柱１の周囲に９０°ずつ４箇所配置され、これらを１組として足場支柱１の軸方向に適宜の間隔で複数設けられる。なお、上側くさび受け２と下側くさび受け３とは同形状であり、本明細書においては説明の便宜上、足場支柱１のくさび受けを上下で区別している。
【００１５】
２本の斜材１１，１１は、図１に示すように、足場支柱１，１の間に傾斜させ交差させて配設される棒状部材である。また、水平材１２は、足場支柱１，１の上側連結部２０側に架設される棒状部材である。
【００１６】
上側連結部２０は、図１〜図３に示すように、斜材１１の上端部１１ａ及び水平材１２の端部１２ａに取り付けられて足場支柱１の上側くさび受け２に対して取り外し可能に係着される部材であり、本体部材２１と、回動軸部２５と、回動固定部材３０とを備える。
【００１７】
本体部材２１は、図２〜図４に示すように、一側の上部に水平材１２の端部１２ａが固着され、他側に上側くさび受け２に差し込み可能なように下方へ延設された差込部２２を有する。この本体部材２１は、一対の板状部材２１ａ，２１ｂからなり、各板状部材２１ａ，２１ｂが所定の間隙Ｓを設けて互いに対向配置され、一側の間隙Ｓ内に水平材１２の端部１２ａが溶接等により固着されている。
【００１８】
また、図４に示すように、一対の板状部材２１ａ，２１ｂの他側にはそれぞれ差込部２２ａ，２２ｂが対向して設けられており、各差込部２２ａ，２２ｂが互いに内側へ屈曲されて、各端辺を当接させて互いに溶接されている。このように、各差込部２２ａ，２２ｂを溶接することにより、板状部材２１，２２の差込部２２ａ，２２ｂが補強されて、各板状部材２１ａ，２１ｂの間隙Ｓの拡開を防止することができる。加えて、板状部材２１ａ，２１ｂを一体に形成すると高価になることから、溶接によって板状部材２１ａ，２１ｂを一体化することで本体部材２０を安価に形成することが可能となる。なお、符号Ｗは各差込部２２ａ，２２ｂの溶接部である。
【００１９】
回動軸部２５は、図２〜図４に示すように、本体部材２１の一側の下部に形成された軸部材である。実施例の回動軸部２５は、一対の板状部材２１ａ，２１ｂを貫通するボルト部材２６と、ボルト部材２６を固定するナット部材２７とからなり、斜材１１の上端部１１ａを本体部材２０に回動自在に軸着する。
【００２０】
回動固定部材３０は、図２，３に示すように、斜材１１の上端部１１ａに一体に形成されかつ斜材１１の上端部１１ａとして回動軸部２５に軸着される部位であり、差込部２２の上側くさび受け２への差し込み時に上側くさび受け２を差込部２２とともに狭持して固定するとともに、回動軸部２５を軸中心として回動して固定解除する。実施例の回動固定部材３０は、斜材１１の上端部１１ａを延設して形成された板状の部位であり、固定時に上側くさび受け２の外面部２ａに当接される直線状端部３１と、直線状端部３１の少なくとも一方の角部（図示の例では両角部）に面取りして形成された円弧状角部３２とを有し、一対の板状部材２１ａ，２１ｂの隙間Ｓ内において軸着されている。回動固定部材３０に円弧状角部３２が形成されていることにより、回動時に角部が上側くさび受け２と接触して引っ掛かることが抑制され、円滑に回動させることが可能となる。
【００２１】
また、この回動固定部材３０では、図４に示すように、先端側を上方側へ回動させて固定解除が行われる。このように、回動固定部材３０の固定解除の回動方向を上方側とした場合、固定時に本体部材２１の自重により回動固定部材３０が下方の回動方向へ付勢される。そのため、回動固定部材３０が不意に固定解除されることがなく、しかも強固に固定状態を保持することが可能となる。なお、回動固定部材３０の固定解除の回動方向を上方側とする場合には、直線状端部３１の下側の角部に円弧状角部３２ａが形成される。
【００２２】
下側連結部４０は、図１に示すように、斜材１１の下端部１１ｂに取り付けられて足場支柱１の下側くさび受け３に対して取り外し可能に係着される部材である下側連結部４０の構造は、下側くさび受け３に対して強固かつ簡便な係着が可能であれば特に限定されるものではなく、従来公知の下側連結部材が用いられる。
【００２３】
次に、仮設足場用筋交い１０の設置例について説明する。この仮設足場用筋交い１０では、足場支柱１，１の各上側くさび受け２，２に対して上側連結部材２０の取り付けを行った後、各下側くさび受け３，３に対して下側連結部材４０の取り付けが行われる。
【００２４】
上側連結部材２０の取り付けでは、図３に示すように、回動固定部材３０の先端側が上方側へ回動された状態で、本体部材２１の差込部２２が上側くさび受け２の上方から差し込まれる。続いて、回動固定部材３０の先端側を下方側へ回動させ、図２に示すように、直線状端部３１を上側くさび受け２の外面部２ａに当接させて上側くさび受け２を差込部２２とともに狭持させる。その際、回動固定部材３０の直線状端部３１の下側の角部に円弧状角部３２ａが形成されていることにより、回動固定部材３０を円滑に固定位置まで回動させることが可能となる。
【００２５】
上のような上側連結部材２０の取り付けを各上側くさび受け２，２に大して行った後、公知の手順に従って各下側くさび受け３，３に対して下側連結部材４０の取り付けを行うことで、仮設足場用筋交い１０の設置が完了される。
【００２６】
一方、仮設足場用筋交い１０の解体を行う場合、足場支柱１，１の各下側くさび受け３，３から公知の手順に従って下側連結部材４０を取り外した後、各上側くさび受け２，２から上側連結部材２０を取り外して行われる。
【００２７】
上側連結部材２０の取り外しでは、回動固定部材３０の直線状端部３１が上側くさび受け２の外面部２ａに当接した状態（図２参照）から、図３に示すように、回動固定部材３０の先端側を上方側へ回動させて固定解除させる。その際、回動固定部材３０の直線状端部３１の下側の角部に円弧状角部３２ａが形成されていることにより、回動固定部材３０の直線状端部３１が上側くさび受け２の外面部２ａに引っ掛かることなく円滑に固定解除位置まで回動させることが可能となる。続いて、回動固定部材３０を固定解除位置で保持したまま、上側くさび受け２から本体部材２１の差込部２２を抜き取ることで上側連結部材２０が取り外され、仮設足場用筋交い１０の解体が完了される。
【００２８】
以上図示し説明したように、本発明の仮設足場用筋交い１０では、足場支柱１，１，の間に傾斜させ交差させて配設される２本の斜材１１，１１と、足場支柱１，１，の間に架設される水平材１２と、斜材１１の上端部１１ａ及び水平材１２に取り付けられて足場支柱１の上側くさび受け２に対して取り外し可能に係着される上側連結部２０と、斜材１１の下端部１１ｂに取り付けられて足場支柱１の下側くさび受け３に対して取り外し可能に係着される下側連結部４０とを備え、上側連結部２０は、一側の上部に水平材１２の端部１２ａが固着され他側に上側くさび受け２に差し込み可能なように下方へ延設された差込部２２を有する本体部材２１と、本体部材２１の一側の下部に形成された回動軸部２５と、斜材１１の上端部１１ａに一体に形成されかつ回動軸部２５に軸着され差込部２２の上側くさび受け２への差し込み時に上側くさび受け２を差込部２２とともに狭持して固定するとともに、回動軸部２５を軸中心として回動して固定解除する回動固定部材３０とを備えたため、回動固定部材３０の回動操作という極めて簡便な作業で上側連結部材２０を上側くさび受け２に対して強固に固定させることが可能であるとともに、上側連結部材２０の固定解除も同様の極めて簡便な作業で行うことが可能となる。
【００２９】
また、回動固定部材３０の先端側を上方側へ回動させて固定解除するため、固定時に本体部材２１の自重により回動固定部材３０が下方の回動方向へ付勢されて回動固定部材３０が不意に固定解除されることがなく、しかも強固に固定状態を保持することが可能となる。
【００３０】
本体部材２１が一対の板状部材２１ａ，２１ｂからなり、該一対の板状部材２１ａ，２１ｂの各差込部２２ａ，２２ｂが互いに内側へ屈曲されて溶接されているため、差込部２２ａ，２２ｂが補強されて各板状部材２１ａ，２１ｂの拡開を防止することができるとともに、本体部材２１を安価に形成することが可能となる。
【００３１】
なお、本発明の仮設足場用筋交いは、前述の実施例のみに限定されるものではなく、発明の趣旨を逸脱しない範囲において構成の一部を適宜に変更して実施することができる。
【符号の説明】
【００３２】
１  足場支柱
２  上側くさび受け
３  下側くさび受け
１０  仮設足場用筋交い
１１  斜材
１２  水平材
２０  上側連結部
２１  本体部材
２２  差込部
２５  回動軸部
３０  回動固定部材
４０  下側連結部材
【図１】
2015098740.tif 000003
【図２】
2015098740.tif 000004
【図３】
2015098740.tif 000005
【図４】
2015098740.tif 000006